(57)【要約】【課題】排泄物の十分な漏れ防止を行えると共に、オムツの締め付け感を和らげる。【解決手段】股間にあてがわれるカップ部１２０を備えたオムツ１２と、オムツ１２に接続され、カップ部１２０内に排泄された排泄物もしくは汚水を吸引する一方で、オムツ１２内に洗浄水を送水する排泄物処理装置１４とを備えた排泄物処理システム１において、使用者３の身体にフィットする漏れ防止材１２３が設けられているため、汚物収集カップ１２０内の排泄物や汚水が漏れてしまうことがないと共に、使用者３へ締め付け感を与えることもない。【選択図】      図４
2004350805.tif 000002
【特許請求の範囲】
【請求項１】
股間にあてがわれるカップ部を備えたオムツと、前記オムツに接続され、前記カップ部内に排泄された排泄物もしくは汚水を吸引する一方で、前記オムツ内に洗浄水を送水する排泄物処理装置とを備えた排泄物処理システムにおいて、
前記カップ部が取り付けられる前記オムツへ前記カップ部を縁取る様に、弾力性、および、伸縮性を備える漏れ防止材を備えたことを特徴とする排泄物処理システム。
【請求項２】
前記漏れ防止材は、発泡ネオプレーン系の発泡合成樹脂素材の内部に低反発ウレタンフォームなどのクッション材を備えたものであることを特徴とする請求項１に記載の排泄物処理システム。
【請求項３】
股間にあてがわれるカップ部と、当該カップ部から延在し使用者の臍下付近を覆う腹当て部と、当該カップ部から延在し使用者の臀部を覆う背当て部とを有してなるオムツにおいて、
前記カップ部が取り付けられる前記オムツへ前記カップ部を縁取る様に、弾力性、および、伸縮性を備える漏れ防止材を備えたことを特徴とするオムツ。
【請求項４】
前記漏れ防止材は、発泡ネオプレーン系の発泡合成樹脂素材の内部に低反発ウレタンフォームなどのクッション材を備えたものであることを特徴とする請求項３に記載のオムツ。
【発明の詳細な説明】
【０００１】
【発明の属する技術分野】
この発明は、病院等における歩行不能な病人または寝たきりの老人に好適な排泄物処理システムおよびオムツに関する。
【０００２】
【従来の技術】
従来、通常の体位では排泄をすることができない病人や寝たきりの老人等、自分で自分の排泄物を処理することができない人には、オシメを使用して排泄物を処理していた。しかしながら、オシメを用いる場合には、付添い人などの人的労力を必要とし、その上、オシメの交換時などに臭いを発して周囲に迷惑をかけたり、また、使用者が羞恥心を覚えたりするものである。そこで最近では、浅い器状の特殊な排泄物受具（以下、「アタッチメント」と称する）を股間に装着し、排泄後に陰部等を洗浄処理すると共に、排泄された便や汚水等を吸引処理する各種の排泄物処理装置が提案されている（例えば、特許文献１参照）。
【０００３】
【特許文献１】
特開２００２−１５３４９８号公報（第１図）
【０００４】
【発明が解決しようとする課題】
しかしながら、上記従来技術にあっては、使用者が排泄した排泄物を収集する汚物収集カップが設けられたオムツ内へ、前記汚物収集カップを縁取る様に、伸縮性を持った襞状の漏れ防止材が設けられていたが、前記汚物収集カップからの十分な漏れ防止を行うことができないと共に、使用者が股間付近の締め付け感を覚え、問題となっていた。
【０００５】
そこで、本発明は、上記事情に鑑みてなされたものであり、排泄物の十分な漏れ防止を行えると共に、オムツの締め付け感を軽減した排泄物処理システムおよびオムツを提供することを目的とする。
【０００６】
【課題を解決するための手段】
請求項１に記載の発明は、股間にあてがわれるカップ部を備えたオムツと、前記オムツに接続され、前記カップ部内に排泄された排泄物もしくは汚水を吸引する一方で、前記オムツ内に洗浄水を送水する排泄物処理装置とを備えた排泄物処理システムにおいて、前記カップ部が取り付けられる前記オムツへ前記カップ部を縁取る様に、弾力性、および、伸縮性を備える漏れ防止材を備えたことを特徴とするものである。
【０００７】
請求項２に記載の発明は、請求項１に記載のものにおいて、前記漏れ防止材は、発泡ネオプレーン系の発泡合成樹脂素材の内部に低反発ウレタンフォームなどのクッション材を備えたものであることを特徴とするものである。
【０００８】
請求項３に記載の発明は、股間にあてがわれるカップ部と、当該カップ部から延在し使用者の臍下付近を覆う腹当て部と、当該カップ部から延在し使用者の臀部を覆う背当て部とを有してなるオムツにおいて、  前記カップ部が取り付けられる前記オムツへ前記カップ部を縁取る様に、弾力性、および、伸縮性を備える漏れ防止材を備えたことを特徴とするものである。
【０００９】
請求項４に記載の発明は、請求項３に記載のものにおいて、前記漏れ防止材は、発泡ネオプレーン系の発泡合成樹脂素材の内部に低反発ウレタンフォームなどのクッション材を備えたものであることを特徴とするものである。
【００１０】
【発明の実施の形態】
以下、図面を参照して本発明の実施の形態について説明する。図１は、本発明の実施形態にかかる排泄物処理システム１の構成を示す図である。この図に示す様に、排泄物処理システム１は、使用者３によって装着されるオムツ１２と、オムツ１２内部の排泄物または汚水を吸引し蓄積する排泄物処理装置１４と、使用者３が横たわるマット１０とを備えている。
【００１１】
図２に示す様に、オムツ１２は、使用者３に装着された状態では、股下が短く膝上丈の、いわゆるショーツ（ショートパンツ）を摸した外観をなしており、その股間に位置する箇所には、汚物収集カップ１２０および汚物収集パイプ１２２が設けられている。この汚物収集パイプ１２２には、図１に示す如く、排泄物処理装置１４とオムツ１２とを接続する汚物吸引ホース１６が取り付けられる。すなわち、オムツ１２内の排泄物および汚水は、排泄物処理装置１４の図示せぬ吸引機構により、汚物収集パイプ１２２から汚物吸引ホース１６を通して排泄物処理装置１４に吸引され、この排泄物処理装置１４が備える図示しない排泄タンクに蓄積されると共に、オムツ１２の排泄物収集カップ１２０内が弱負圧に保たれるものとなっている。これによってオムツ１２と使用者３との隙間からの風のリークが少なくなる。
【００１２】
図３は、オムツ１２の展開図である。この図に示す様に、オムツ１２は、汚物収集カップ１２０から前方に延在し使用者３の臍下付近を覆う腹当て部１２ａと、汚物収集カップ１２０から後方に延在し、使用者３の臀部を覆う背当て部１２ｂを有している。すなわち、オムツ１２は、一般的なショーツの両腰脇付近を大腿部方向に裂くと共に、汚物収集カップ１２０の取付用に股間周辺がくり抜かれ、このくり抜かれた箇所は、汚物収集カップ１２０が取り付けられた形状と略等しい形状を有しており、汚物収集カップ１２０内に排泄された排泄物および汚水が、この汚物収集カップ１２０内から漏れ出てしまうことを防止する漏れ防止材１２３が設けられている。オムツ１２の腹当て部１２ａおよび背当て部１２ｂは、通気性が良く、なおかつ、水分を通さない素材（例えばＰＴＦＥ：ポリテトラフロロエチレン）から形成されており、使用者３が長時間装着し続けても、発汗によるムレが防止される様になっている。なお、オムツ１２の素材として、ウェットスーツなどに用いられる伸縮性のある発泡合成樹脂（例えば、発泡ネオプレーン系）からなる素材を用い、フィット性を高めるようにしても良い。
【００１３】
また、背当て部１２ｂの左側部１２ｂＬと右側部１２ｂＲには、合計４つの止着部１２６が夫々取り付けられている。止着部１２６の上面（図面上面）には、夫々ベルクロワファスナー（いわゆる、マジックテープ（登録商標））が貼着されており、止着部１２６が腹当て部１２ａの表面に掛止する構成となっている。
【００１４】
使用者３にオムツ１２を装着する場合には、汚物収集カップ１２０を股間にあてがう一方、従来のオシメをはかす様に、背当て部１２ｂを臀部に、腹当て部１２ａを臍下付近にあてがい、腰および大腿部に巻き付けるべく背当て部１２ｂの両側部１２ｂＬ、１２ｂＲに設けられた止着部１２６を腹当て部１２ａの上面まで運んで貼付固定する。
【００１５】
また、このオムツ１２にあっては、腹当て部１２ａおよび背当て部１２ｂのうち、使用者３の腹に巻き付く箇所の縁部１２８ａ、１２８ｂ、および、使用者３の大腿部に巻き付く箇所の縁部１２８ｃ、１２８ｄには、ゴムバンドが設けられており、使用者３が装着した際の気密性が高まるようになっている。
【００１６】
さらに、このオムツ１２の汚物収集カップ１２０の取付用にくり抜かれた股間周辺には、図４に示す様に、汚物収集カップ１２０の取付部を縁取る様に、漏れ防止材１２３が設けられている。この漏れ防止材１２３は、使用者３がオムツ１２を装着した時に、使用者３の身体にフィットすると共に、ある程度の弾力性と伸縮性を備え、使用者３へ締め付け感を与えないものであることが望ましい。このため、図５の断面図に示す様に、ウェットスーツなどに用いられる伸縮性のある発泡合成樹脂１２３ａ（例えば、発泡ネオプレーン系）からなる素材を用いると共に、その内部にクッション材１２３ｂ（例えば、低反発ウレタンフォームなど）を備えたものとなっており、輪状の前記クッション材１２３ｂを前記発泡合成樹脂１２３ａなどで挟み、縫合されて構成されているものである。このため、使用者３の体重により漏れ防止材１２３がつぶされる場合では、発泡合成樹脂１２３ａにより弾力性を保ちながらクッション材１２３ｂと共につぶれ、漏れ防止材１２３が膨張する場合には、まず、発泡合成樹脂１２３ａが弾力性を保ちながら膨らみ、その後、徐々にクッション材１２３ｂが膨らんで使用者３の身体にフィットする様になる。そして、この漏れ防止材１２３が、図４に示す様に、汚物収集カップ１２０の取付部を縁取る様に縫合されて設けられている。これにより、使用者３から排泄された排泄物がオムツ１２から漏れ出してしまう心配が解消される。
【００１７】
次いで、汚物収集カップ１２０の構成について詳述する。図６は汚物収集カップ１２０の側面図であり、また、図７はその断面図である。これらの図に示す様に、汚物収集カップ１２０は、全体的に曲線見を帯びた略コの字状に一体的に形成されており、その図面下方には、汚物収集パイプ１２２が一体成形されている。この汚物収集カップ１２０は、ある程度の弾性を有したプラスチックなどから形成されており、多少の押圧力が加わったとしても、その押圧力を吸収可能となっている。
【００１８】
また、図７に示す様に、この汚物収集カップ１２０の側壁には、洗浄水を噴射するための洗浄ノズル１３０ａ、１３０ｂおよび１３４ａが設けられており、各洗浄ノズル１３０ａ、１３０ｂには、洗浄水チューブ１３２を介して排泄物処理装置１４から洗浄水が供給され、洗浄ノズル１３４ａには、空気管１３４を介して排泄物処理装置１４から後述する脱臭・殺菌器２０７を流通して殺菌された空気と前記洗浄水とが混合されて供給される構成となっている。洗浄ノズル１３４ａは、汚物を汚物収集パイプ１２２が設けられている方へ押し流すためのものであり、汚物収集カップ１２０の背面（使用者３の臀部に対向する面）に設けられ、その噴射口の方向が汚物収集パイプ１２２を向く様に設定されている。洗浄ノズル１３０ａは、使用者３の肛門を洗浄するためのものであり、汚物収集パイプ１２２付近に設けられ、その噴射口の方向は、洗浄水が使用者３の肛門に向けて噴射される様に設定されている。また、洗浄ノズル１３０ｃは、女性使用者３の陰部を洗浄するためのものであり、使用者３の下腹部に相当する位置付近に設けられ、その噴射口の方向は、洗浄水が女性使用者３の陰部に向けて噴射される様に設定されている。なお、洗浄水は、使用者３の不快感を招かぬよう適度な温度の温水であることが望ましい。この様に、汚物収集カップ１２０には、女性の陰部（特に、尿内、ちつ等）を洗浄するための洗浄ノズル１３０ｃが設けられているため、排尿後も陰部を清潔に保ち、不快感を覚えることのない様になっている。なお、使用者３が男性である場合を考慮して、洗浄水チューブ１３２と洗浄ノズル１３０ｂとの間に開閉弁などを設け、洗浄ノズル１３０ｃからの洗浄水噴射を選択的に行う構成としても良い。
【００１９】
また、上述の洗浄水チューブ１３２には、洗浄水のみならず空気が供給される構成となっている。すなわち、洗浄水により使用者３の各部位を洗浄した後、空気（乾燥空気）を吹き付けることにより、乾燥させるようになっている。この様に、空気は、使用者３の各部位を乾燥させるためのものであるから、洗浄ノズル１３４ａからの空気噴射は省くことが可能である。また、洗浄水チューブ１３２から汚物収集カップ１２０内に空気は、空気管１３４の先端の洗浄ノズル１３４ａから外気へ逃がす構造になっている。
【００２０】
このような構成の下、使用者３が排泄した後、排泄物処理装置１４から洗浄水チューブ１３２に洗浄水が、空気管１３４から前記洗浄水と空気とが混合されてそれぞれ供給され、洗浄ノズル１３０ａ、１３０ｂの各々から洗浄水が噴射されると共に、洗浄ノズル１３４ａから前記洗浄水が混入した前記空気が噴射される。これにより、使用者３の肛門および陰部が洗浄される一方で、排泄物が汚物収集パイプ１２２の方へ流される。次いで、排泄物処理装置１４は、洗浄水チューブ１３２に空気を供給する前に、この洗浄水チューブ１３２内に残留する洗浄水を図示しない排泄物処理装置１４内に備えられた排泄タンク内へと吸引して、洗浄水チューブ１３２の水抜をした後に、洗浄水チューブ１３２に空気を供給する。これにより、使用者３の肛門および陰部の乾燥が行われる。なお、使用者３が男性である場合など、陰部の乾燥が必要ない場合には、洗浄ノズル１３０ａからの空気噴射、すなわち、肛門の乾燥のみを行う構成としても良い。
【００２１】
また、汚物収集パイプ１２２は、図７に示す様に、汚物収集カップ１２０の底部から一旦落ち込む、いわゆるＵ字形状を成している。この構成において、排泄物は、洗浄ノズル１３４ａからの洗浄水により、汚物収集パイプ１２２の底部１２２ａに向かって洗浄水や尿などと共に集められた後、排泄物処理装置１４により汚物吸引ホース１６を経由して吸引排出される。
【００２２】
ここで、排泄物処理装置１４が吸引を開始すると、汚物収集パイプ１２２がＵ字形状を成しているため、サイフォンの原理により、汚水や洗浄水などは、吸引が停止したとしても、汚物収集カップ１２０より低い箇所に置かれた排泄物処理装置１４内の前記排泄タンクに留められることとなる。これにより、汚物の吸引排出が不十分であったとしても、汚物収集カップ１２０内に汚水などが残るのが防止される。この汚物収集パイプ１２２は、排泄物などの液状物ばかりでなく、空気も流通できるような構造を有し、排泄物処理装置１４が汚物を空気の圧力差で吸引しても管径がちいさくならないような剛性をもった屈曲管で形成されている。
【００２３】
ところで、上述の様に、汚物収集パイプ１２２は、Ｕ字形状を成しているため、図８に示す様に、使用者３の股間から図面下方に突出することとなる。従って、使用者３がオムツ１２を装着してベッドなどに仰向けで横たわると、この汚物収集パイプ１２２や汚物収集カップ１２０の背面部（使用者３の臀部に位置する部分）により、使用者３の臀部が浮き上がってしまい、使用者３の寝心地が悪くなる。
【００２４】
そこで、本実施形態では、図９に示す様に、使用者３が横たわるマット１０には、汚物収集パイプ１２２および汚物収集カップ１２０の背面部を収容するための収容貫通穴１０２が形成されている。このマット１０は、図１０に示す様に、略円柱形に膨張するよう構成されたエアーセル１００がマット１０の長さ方向に適宜数（図示例では２６本）並設されて構成されている。より具体的には、マット１０の長尺方向の両端には、他とは寸法の違うエアーセル１００ａ、１００ｂ（例えば、４８ｍｍ×８２５ｍｍ）が配置され、これらのエアーセル１００ａ、１００ｂとの間に、エアーセル１００ｄ、１００ｅ（７６ｍｍ×８２５ｍｍ）が交互に並設され、寸法が１９２０ｍｍ×８２５ｍｍのマット１０が構成される。
【００２５】
また、マット１０の図面左右両側の各々には、このマット１０の長尺方向に延びる空気導入帯１０８ａ、１０８ｂが設けられている。空気導入帯１０８ａ、１０８ｂの各々の一端（図示例では、図面下端）には、図示せぬエアポンプと接続される空気注入口１１２が設けられており、この空気注入口１１２から注入された空気がエアーセル１００ｂ、１００ｄ、１００ｅの各々に導かれるよう構成されている。
【００２６】
さらに詳述すると、マット１０にあっては、図面上方（使用者３の頭部方向）に位置する４本のエアーセル１００ａ、１００ｃを除き、１００ｄには、空気導入帯１０８ａから空気が導入され、エアーセル１００ｅおよび１００ｂには、空気導入帯１０８ｂから空気が導入される。また、使用者３の頭部に相当する箇所のエアーセル１００、すなわち、エアーセル１００ａ、１００ｃの空気圧は、常に略一定圧に維持されており、これにより、枕が載置されたときのグラツキを抑え、使用者３が不快感を覚えることのないようになっている。
【００２７】
また、このマット１０にあっては、図面左側に配置された空気導入帯１０８ａと連通するエアーセル１００ｄと、図面右側に配置された空気導入帯１０８ｂと連通するエアーセル１００ｅとが交互に並設されると共に、図面下端にエアーセル１００ｂが併設されている。すなわち、マット１０にあっては、空気の導入経路の異なるエアーセル１００ｄ、１００ｅが交互に配置される構成となっているため、空気導入帯１０８ａ、１０８ｂに注入される空気圧の各々を適宜変更することにより、空気圧の互いに異なるエアーセルが交互に配置することになる。例えば、空気導入帯１０８ａ、１０８ｂの各々に注入される空気圧を交互に間欠的に増減させ、エアーセル１００ｄ、１０８ｅを膨張、収縮させれば、使用者３とマット１０とが当接する場所を換えることができ、床ずれを防止することができる。
【００２８】
また、このマット１０の図面上下端には、固定穴１１０ａが穿かれた縁１１０が設けられており、この固定穴１１０ａに紐などを通し、ベッドの枠などに結び付けることにより、ベッド上にマット１０を固定する様になっている。
【００２９】
さらに、上述の様に、マット１０のうち、使用者３の臀部から股間に相当する箇所には、汚物収集カップ１２０の汚物収集パイプ１２２および汚物収集カップ１２０の背面部を収容するための収容貫通穴１０２が形成されている。この収容貫通穴１０２は、マット１０をくり抜いて成るものであるため、収容貫通穴１０２が形成されている箇所のエアーセル１００ｄ、１００ｅの各々は、収容貫通穴１０２により左右に分断されても、収容貫通穴１０２の両側で空気の導通が図れる構成となっている。具体的には、図１１に示す様に、収容貫通穴１０２によって分断された各エアーセル１００ｄ、１００ｅには、収容貫通穴１０２を挟んだ両側での空気の導通を図るためのバイパスチューブ１０４が設けられている。
【００３０】
なお、この他にも、図１２に示す様に、収容貫通穴１０２によって分断されたエアーセルを、同じ空気導入帯１０８から空気が導入されるエアーセルとバイパスチューブ１０４により接続し導通させる構成としても良い。また、収容貫通穴１０２がマット１０を貫通せず、単に凹状に形成される場合には、エアーセルが収容貫通穴１０２によって分断されることはないため、バイパスチューブ１０４を設ける必要が無いことは勿論である。
【００３１】
以上説明した様に、本実施形態によれば、オムツ１２に通気性が良い素材を用いたため、使用者３の肌がムレてしまうのが防止されると共に、汚物収集カップ１２０の周囲には、使用者３の身体にフィットする漏れ防止材１２３が設けられているため、汚物収集カップ１２０内の排泄物や汚水が漏れてしまうことがないと共に、使用者３へ締め付け感を軽減することができる。
【００３２】
なお、上述した実施形態は、あくまでも本発明の一態様にすぎず、本発明は、これに限定されるものではなく、本発明の範囲内で任意に変形可能であることは勿論である。
【００３３】
【発明の効果】
以上説明した様に、本発明によれば、身体にフィットする漏れ防止材が設けられているため、汚物収集カップ内の排泄物や汚水が漏れてしまうことがないと共に、締め付け感を軽減した排泄物処理システムおよびオムツが提供される。
【図面の簡単な説明】
【図１】本発明の実施形態にかかる排泄物処理システムの構成を示す図である。
【図２】同オムツの外観構成を示す斜視図である。
【図３】同オムツの構成を示す斜視図である。
【図４】同オムツ内部の展開図である。
【図５】同オムツ内の汚物収集カップ縁部に設けられた漏れ防止材の断面図である。
【図６】同オムツに設けられた汚物収集カップの構成を示す側面図である。
【図７】同汚物収集カップの断面図である。
【図８】同オムツカップを背面方向から見た斜視図である。
【図９】同マットに設けられた収容貫通穴を説明するための図である。
【図１０】同マットの構成を示す図である。
【図１１】同マットに設けられたバイパスチューブを説明するための図である。
【図１２】同マットに設けられたバイパスチューブを説明するための図である。
【符号の説明】
１  排泄物処理システム
１０  マット
１２  オムツカップ
１２ａ  腹当て部
１２ｂ  背当て部
１４  排泄物処理装置
１００  エアーセル
１０２  収容貫通穴
１０４  バイパスチューブ
１２０  汚物収集カップ
１２２  汚物収集パイプ
１２３  漏れ防止材
１２３ａ  発泡合成樹脂
１２３ｂ  クッション材
１３０ａ、１３０ｂ、１３０ｃ  洗浄ノズル
【図１】
2004350805.tif 000003
【図２】
2004350805.tif 000004
【図３】
2004350805.tif 000005
【図４】
2004350805.tif 000006
【図５】
2004350805.tif 000007
【図６】
2004350805.tif 000008
【図７】
2004350805.tif 000009
【図８】
2004350805.tif 000010
【図９】
2004350805.tif 000011
【図１０】
2004350805.tif 000012
【図１１】
2004350805.tif 000013
【図１２】
2004350805.tif 000014